(57)【要約】【課題】不審者を監視する一方で、監視装置そのものが監視用ポール本体から簡単に外されて盗難に合うことのない屋外監視用ポールを提供すること。【解決手段】屋外監視用ポール１０は、屋外に設置されるポール本体１１と、このポール本体１１の所要高さ位置に設けられる監視装置１２と、このポール本体１１の所要高さ位置に設けられる検知装置１３と、ポール本体１１の所要高さ位置に設けられる送受信装置１４とを具備する。監視装置１２は、検知装置１３により物体ｈを検知することにより、ポール本体１１内に設けられた機器収納室１５に収納されるように設けられる。【選択図】  図１
2008225944.tif 000002
【特許請求の範囲】
【請求項１】
屋外に設置されるポール本体と、
このポール本体の所要高さ位置に設けられる監視装置と、
このポール本体の所要高さ位置に設けられる検知装置と、
このポール本体の所要高さ位置に設けられる送受信装置と、を具備し、
前記監視装置は、前記検知装置により物体を検知することにより、前記ポール本体内に設けられた機器収納室に収納されるように設けられたことを特徴とする屋外監視用ポール。
【請求項２】
前記機器収納室に監視装置を収納するにあたって、前記機器収納室の底部に、監視装置を移動させる歯車装置を備えた駆動手段を設けたことを特徴とする請求項１記載の屋外監視用ポール。
【請求項３】
前記機器収納室の前方開口部には、監視装置が収納された際、前記前方開口部を閉じる開閉蓋を設けたことを特徴とする請求項１記載の屋外監視用ポール。
【請求項４】
前記ポール本体には、監視装置が機器収納室に収納された際に、警報を発する警報装置が設けられたことを特徴とする請求項１記載の屋外監視用ポール。
【請求項５】
前記ポール本体の最上部には、送受信装置を設けたことを特徴とする請求項１記載の屋外監視用ポール。
【請求項６】
前記監視装置は、カメラ機器であることを特徴とする請求項１記載の屋外監視用ポール。
【請求項７】
前記検知装置は、赤外線センサであることを特徴とする請求項１記載の屋外監視用ポール。
【発明の詳細な説明】
【技術分野】
【０００１】
この発明は、繁華街等の人の頻繁な出入りがあるところ、また、監視を要する機材、設備の設置場所等の盗難防止の目的に設置される屋外監視用ポールの改良に関する。
【背景技術】
【０００２】
従来、この種の屋外監視用ポールは、セキュリティ面での監視のために、駐車場、繁華街あるいは重要施設に配置されるが、監視されるのを嫌ったり、監視された結果を消滅させるために監視装置そのものが破壊されたりする場合がある。そのような事態を未然に防止するため、人目に付き易い場所や人の背の高さより高い位置に監視装置を設けるようにしたものがある。
【０００３】
従来の屋外監視用ポールとして、特に駐車場において、車の盗難や車上荒らしを防ぐために、駐車場内に監視用ポールを設けて対策をとっているものが出現している。また、監視装置が破壊されないように、監視装置を人の高さ位置より高い監視用ポールの位置に設置している。（図３および図４に示す特許文献１参照）。
【０００４】
図３は従来の屋外監視用ポールの概要図で、図４は従来の屋外監視用ポールの実施例を示す概要図である。
【０００５】
図３に示す屋外監視用ポール１は、長尺の監視用ポール本体２の上部に監視カメラ３を設け、この監視カメラ３のやや低部にハウジング４を設けると共に、このハウジング４内に監視画像を演算処理により不審者かどうかを過去のデータから見極めたり判定するパソコン５を内蔵したものである。
【０００６】
そして、図４に示すように、複数の駐車場６の各々に１つ〜３つの屋外監視用ポール１を設置すると共に、各屋外監視用ポール１のパソコン５それぞれから中央の監視センタ７へ不審者の情報を伝達するようにしたものである。
【０００７】
この屋外監視用ポール１によれば、各駐車場６内に不審者がいる場合には、監視カメラ３により捕捉し、そしてパソコン５により不審者と判定した場合には、この情報を監視センタ７へ伝達することができるようになっている。
【０００８】
また、この不審者が、監視カメラ３を人目につき易い場所に設けて、監視カメラ３を破壊する行為に出難くすることができるようになっている。
【特許文献１】特開２００５−７６３２４号公報
【発明の開示】
【発明が解決しようとする課題】
【０００９】
従来の屋外監視用ポールによれば、不審者を監視する一方、監視装置である監視カメラが破壊されるのを未然に防止することができるようになっているが、その監視装置である監視カメラそのものが通常、高価であること、また他への利用が可能であることから、監視装置そのものが監視用ポール本体から外されて持ち去らわれるという場合があった。
【００１０】
本発明は、上記の事情に鑑みてなされたもので、不審者を監視する一方で、監視装置そのものが監視用ポール本体から簡単に外されて盗難に合うことのない屋外監視用ポールを提供することを目的とする。
【課題を解決するための手段】
【００１１】
上記目的を達成するために、本発明によれば、屋外に設置されるポール本体と、このポール本体の所要高さ位置に設けられる監視装置と、このポール本体の所要高さ位置に設けられる検知装置と、このポール本体の所要高さ位置に設けられる送受信装置と、を具備し、前記監視装置は、前記検知装置により物体を検知することにより、前記ポール本体内に設けられた機器収納室に収納されるように設けられたことを特徴とする屋外監視用ポールを提供する。
【発明の効果】
【００１２】
本発明によれば、不審者を監視する一方で、監視装置そのものが監視用ポール本体から簡単に外されて持ち去らわれることのない屋外監視用ポールを提供することができる。
【発明を実施するための最良の形態】
【００１３】
本発明に係る屋外監視用ポールの実施形態について、添付図面を参照して説明する。
【００１４】
図１は本発明の屋外監視用ポールの概要図で、図２は、図１に示す屋外監視用ポールを監視する監視センタの監視制御装置の概要図である。
【００１５】
図２に示す屋外監視用ポール１０は、屋外に設置されるポール本体１１と、このポール本体１１の所要高さ位置に設けられる監視装置としてのカメラ機器１２と、ポール本体１１の所要高さ位置に設けられる検知装置としての赤外線センサ１３と、地面１４にほぼ垂直に設置されたポール本体１１の所要高さ位置に設けられる第１の送受信装置１７とを備えている。
【００１６】
ポール本体１１は、例えば数十ｃｍ程度の径で、かつ２０ｍ程度の高さを有している。このポール本体１１の、例えば１５ｍ付近には監視装置としてのカメラ機器１２が設けられる。また、このポール本体１１の、例えば１０ｍ付近には検知装置としての赤外線センサ１３が設けられる。また、カメラ機器１２が設けられる位置には、機器収納室１５が設けられる。
【００１７】
このカメラ機器１２は、通常のデイライト感応型のものであってもよいが、赤外カメラまたは暗視カメラであれば一層望ましい。カメラ機器１２は、監視が必要でない時間帯や設置場所によっては、機器収納室１５内に収納され、監視中にはポール本体１１の上方から下方位置が望めるよう、また、休止中には機器収納室１５に収納されるよう、矢視ａ方向に出し入れ自在に設けられる。
【００１８】
機器収納室１５の前方開口部１５ａには、この前方開口部１５ａを前方から塞ぐことができるように開閉蓋１５ｂが設けられ、カメラ機器１２が機器収納室１５内に収納された際に閉じるようになっている。この開閉蓋１５ｂは、機器収納室１５にカメラ機器１２が収納された際に、自動的にまたは監視センタ２０を監視する取扱者（図示せず）が任意に操作して閉じることができるようになっている。この開閉蓋１５ｂが閉じることにより、カメラ機器１２は機器収納室１５内に収納され、閉塞されるので、不審者による破壊や盗難をできるだけ防ぐのみならず、更には、雨、風等の天候による悪影響も回避することができる。
【００１９】
更に、機器収納室１５の底部１５ｃには、カメラ機器１２を機器収納室１５内に移動させるにあたって、歯車装置を備えた駆動手段１６を設けている。この駆動手段１６は、戸外装置としてモータの利用が簡易であることにより、例えばラックとピニオンの組み合わせからなる歯車装置が用いられる。この機器収納室１５内にカメラ機器１２を収納せざるを得ない緊急時には、不審者に対する警告のために警報音を発する警報装置１８を設けている。
【００２０】
赤外線センサ１３は、赤外線放射域ｅを物体である人ｈ側に照射し、赤外線放射域ｅを人ｈが横切ることにより、この人ｈを検知することができるようになっている。赤外線放射域ｅは、人ｈを検知し得るように自在にその範囲を選定できるので、赤外線センサ１３の高さ位置に応じて任意に赤外線の照射領域を選定することができる。
【００２１】
カメラ機器１２は、捕捉した人ｈの中から不審者として判定した人ｈを捕捉した画像データｇを生成する画像データ生成装置（図示せず）を備えている。この画像データ生成装置により得られた画像データｇは、第１の送受信機１４から監視センタ２０の第１の送受信機２２側へ無線で送信することができる。この送信は、無線でもよいが、例えば駐車場等の比較的狭い範囲を監視する用途に使用される場合には、ケーブルを敷設した有線にしてもよい。
【００２２】
第１の送受信装置１７は、ポール本体１１の、例えば最上部に設けられる。この第１の送受信装置１７は、監視センタ２０に急報する上で欠かすことができない最も重要な部品であることや送信手段の機能を有していることから、不審者による破壊や盗難から最も難しい位置である最上部に設けるのが望ましい。
【００２３】
一方、監視センタ２０は、監視制御装置としてのパソコン２１およびこのパソコン２１にポール本体１１側の第１の送受信装置１７から送信される画像データｇを受信し、パソコン２１にデータ送信する第２の送受信装置２２を備える。また、パソコン２１には、操作端末２１ａおよびモニタ２１ｂが設けられる。なお符号２３は、パソコン２１および第２の送受信装置２２を、例えば一体的に支持する設置台である。
【００２４】
次に、屋外監視用ポール１０の作用について、図１および図２を参照して説明する。
【００２５】
屋外監視用ポール１０の作動時において、例えば不審者等の移動物体である人ｈがポール本体１１の近傍に立ち入ったとする。ポール本体１１から突出した位置に移動した状態になっているカメラ機器１２は赤外線放射域ｅ内で人ｈを捕捉して、人ｈの画像データｇを生成し、第１の送受信装置１７を介して監視センタ２０の第２の送受信装置２２に送信する。送受信装置２２が受信した画像データｇは、監視センタ２０のパソコン２１に送信され、モニタ２１ｂに画像表示される。このモニタ２１ｂに画像表示される人ｈの画像は、不審者に限らず移動物体全てであってもよい。その場合、人ｈから不審者を限定するために、パソコン２１側に判定装置（図示せず）を設けて、判定結果により不審者と判定された人ｈのみをパソコン２１のモニタ２１ｂに表示してもよい。
【００２６】
一方、カメラ機器１２を破壊しないまでも不審者がカメラ機器１２を取り外そうとした場合、これを監視センタ２０側のモニタ２１ｂにて監視センタ２０の取扱者が判定し、盗難防止のため、自動的にまたは任意に警報が発せられるようにしてもよいし、更に、同時に、自動的にまたは手動で駆動手段１６を操作してカメラ機器１２を機器収納室１５に収納すると同時に開閉蓋１５ａを閉じるように作動させてもよい。なお、その場合、カメラ機器１２を取り外そうとした場合、それを赤外線センサ１３で検出して自動的に駆動手段１６を駆動して、カメラ機器１２をポール本体１１側に収納させるようにしてもよい。自動的に駆動手段１６を駆動するにあたっては、カメラ機器１２に画像判定装置（図示せず）を設けて、不審者と判定した場合に駆動手段１６の駆動を自動化させることもできる。
【００２７】
このように、カメラ機器１２の盗難防止のために、ポール本体１１にカメラ機器１２を収納し得る機器収納室１５を設けることにより、不審者がカメラ機器１２を取り外そうとした場合、これを赤外線センサ１３が検知して、画像データｇに基づいて、自動的に物取りと判定して、駆動手段１６を駆動してカメラ機器１２を機器収納室１５に収納できるようにしたので、不審者によるカメラ機器１２の盗難防止を図ることができる。
【００２８】
なお、本実施形態におけるカメラ機器１２によれば、このカメラ機器１２側に画像生成手段を設けたが、これを監視センタ２０側に設けて、複数のポール本体１１側から得られた画像データｇを一括処理して、自動的または取扱者により任意に物取りであるか否かを判定させるようにしてもよい。
【００２９】
また、カメラ機器１２側から出力される赤外線の照射領域を、より広範囲の赤外線放射域ｅを設け、領域内に入った物体ｈを全て監視する場合には、不審者の見分けが困難になる場合があるので、監視センタ２０側のモニタ２１ｂにて取扱者が、その挙動により物取りと判定して、手動で駆動手段１６を装置してカメラ機器１２をポール本体１１側に収納させるようにしてもよい。
【００３０】
更にまた、本発明の屋外監視用ポール１０によれば、不審者に対する警告のために警報音を発する警報装置１８をポール本体１１側に設けたが、監視センタ２０側も含めて、何れか一方または両方に設けてもよい。
【００３１】
このように設けることにより、屋外監視用ポール１０のカメラ機器１２の盗難を未然に防止することができる。
【図面の簡単な説明】
【００３２】
【図１】本発明の屋外監視用ポールの概要図。
【図２】図１に示す屋外監視用ポールを監視する監視センタの監視制御装置の概要図。
【図３】従来の屋外監視用ポールの概要図。
【図４】従来の屋外監視用ポールの実施例を示す概要図。
【符号の説明】
【００３３】
１０  屋外監視用ポール
１１  ポール本体
１２  カメラ機器（監視装置）
１３  赤外線センサ（検知装置）
１４  地面
１５  機器収納室
１５ａ  前方開口部
１５ｂ  開閉蓋
１５ｃ  底部
１６  駆動手段
１７  第１の送受信装置
１８  警報装置
２０  監視センタ
２１  パソコン（監視制御装置）
２１ａ  操作端末
２１ｂ  モニタ
２２  第２の送受信装置
２３  設置台
ｅ  赤外線領域
ｇ  画像データ
ｈ  人（物体）
【図１】
2008225944.tif 000003
【図２】
2008225944.tif 000004
【図３】
2008225944.tif 000005
【図４】
2008225944.tif 000006